(57)【要約】【課題】  支持姿勢を良好に保持して安定的に運搬することができ、かつ、爪刃部分の支持箇所における位置決め調節を省略することができ、しかも、爪刃を確実に保護することができる農用トラクターのロータリー運搬用具を提供すること。【解決手段】  ビーム部11ａとハンドル部11ｂとから成る側面Ｌ字状の一対の屈曲フレーム11・11が対向的に並行連結されて台座部12と取付端側13とを有する本体部１を構成し、この本体部１における台座部12上には前記爪刃ｂ・ｂ…に外接して支承可能な凹形の爪刃支持緩衝板２を設ける一方、屈曲フレーム11・11の取付端側13の主軸には着脱自在なアームクランプ３・３を各々配設して、ロータリーＲの爪刃ｂ・ｂ…全体を前記爪刃支持緩衝板２に載置し、かつ、前記アームクランプ３のクランプ31をメインビームｄに取り付け固定し、前記台座部12の裏底面に設置されたキャスター４により移動自在にするという技術的手段を採用した。【選択図】  図１
2005052115.tif 000002
【特許請求の範囲】
【請求項１】
ロータリー軸ａの周面に沿って爪刃ｂ・ｂ…が略均等に突設されており、かつ、前記ロータリー軸ａと同心円の弧状側面を有するロータリーカバーｃが、前記爪刃ｂ・ｂ…の外側周上を前記ロータリー軸ａの前後面の下部を除いて覆設されており、このロータリーカバーｃが上面に配置されたメインビームｄに支持されて構成される、農用トラクターの後部に着脱自在なロータリーＲを運搬するための用具であって、
ビーム部11ａとハンドル部11ｂとから成る側面Ｌ字状の一対の屈曲フレーム11・11が対向的に並行連結されて台座部12と取付端側13とを有する本体部１を構成し、この本体部１における台座部12上には前記爪刃ｂ・ｂ…に外接して支承可能な凹形の爪刃支持緩衝板２を設ける一方、屈曲フレーム11・11の取付端側13の主軸には着脱自在なアームクランプ３・３を各々配設して、
ロータリーＲの爪刃ｂ・ｂ…全体を前記爪刃支持緩衝板２に載置し、かつ、前記アームクランプ３のクランプ31をメインビームｄに取り付け固定し、前記台座部12の裏底面に設置されたキャスター４により移動自在にしたことを特徴とする農用トラクターのロータリー運搬用具。
【請求項２】
アームクランプ３は、屈曲フレーム11の取付端側13における主軸に挿通して上下にスライド調節可能で、かつ、メインビームｄ方向に当該アーム本体をスライド式に伸縮自在に固定可能なジョイント部品32で連結されていることを特徴とする請求項１記載の農用トラクターのロータリー運搬用具。
【請求項３】
爪刃支持緩衝板２の上部支持面にヤゲン溝21が形成されたことを特徴とする請求項１または２記載の農用トラクターのロータリー運搬用具。
【請求項４】
爪刃支持緩衝板２がゴム系弾性材料で作成されていることを特徴とする請求項１〜３の何れか一つに記載の農用トラクターのロータリー運搬用具。
【発明の詳細な説明】
【技術分野】
【０００１】
本発明は、運搬用具の改良、更に詳しくは、支持姿勢を良好に保持して安定的に運搬することができ、かつ、爪刃部分の支持箇所における位置決め調節を省略することができ、しかも、爪刃を確実に保護することができる農用トラクターのロータリー運搬用具に関するものである。
【背景技術】
【０００２】
周知のとおり、田圃などを耕耘するためには、トラクターの後部にロータリーを装着
し、このロータリーの爪刃を回転させながら牽引して行っている。ところで、このロータリーを離脱する場合、このロータリーは非常に重量である上に、爪刃が下方に露出していることから、通常の台車では上手く姿勢を保して載置することができず、バランスを崩して転倒すると非常に危険であった。
【０００３】
そこで、従来、かかるロータリーを運搬する装置として、支持具がロータリーのカバーに一体に取り付けられて、この支持具を使用して懸架した状態で運搬できるものが開示されている（特許文献１参照）。しかしながら、この支持具の場合、取付ブラケットのみで支持しているため、取付部に荷重が集中して破損するおそれがあり、延いては、ロータリーが落下して作業者がケガをする危険や、ロータリー自体の破損のおそれがある。
【０００４】
また、ロータリーのカバーに一部を取り付けて、かつ、ロータリーの爪軸を支持するものが開示されている（特許文献２参照）。しかしながら、この支持具の場合、爪軸を支持するために爪軸支持台が耕耘爪に干渉しないように位置決め調節せねばならず、作業が面倒であるし、支持位置を誤って耕耘爪を破損してしまうおそれがある。
【０００５】
【特許文献１】特開平１１−２４３７０４号公報  （第２−３頁、第１−２図）
【特許文献２】特開平２０００−８３４０９号公報  （第２−４頁、第１−３図）
【発明の開示】
【発明が解決しようとする課題】
【０００６】
本発明は、従来のロータリー運搬用具に上記のような不都合があったことに鑑みて為されたものであり、その目的とするところは、支持姿勢を良好に保持して安定的に運搬することができ、かつ、爪刃部分の支持箇所における位置決め調節を省略することができ、しかも、爪刃を確実に保護することができる農用トラクターのロータリー運搬用具を提供することにある。
【課題を解決するための手段】
【０００７】
本発明者が上記課題を解決するために採用した手段を添付図面を参照して説明すれば次のとおりである。
【０００８】
即ち、本発明は、ロータリー軸ａの周面に沿って爪刃ｂ・ｂ…が略均等に突設されており、かつ、前記ロータリー軸ａと同心円の弧状側面を有するロータリーカバーｃが、前記爪刃ｂ・ｂ…の外側周上を前記ロータリー軸ａの前後面の下部を除いて覆設されており、このロータリーカバーｃが上面に配置されたメインビームｄに支持されて構成される、農用トラクターの後部に着脱自在なロータリーＲを運搬するための用具であって、
ビーム部11ａとハンドル部11ｂとから成る側面Ｌ字状の一対の屈曲フレーム11・11が対向的に並行連結されて台座部12と取付端側13とを有する本体部１を構成し、この本体部１における台座部12上には前記爪刃ｂ・ｂ…に外接して支承可能な凹形の爪刃支持緩衝板２を設ける一方、屈曲フレーム11・11の取付端側13の主軸には着脱自在なアームクランプ３・３を各々配設して、
ロータリーＲの爪刃ｂ・ｂ…全体を前記爪刃支持緩衝板２に載置し、かつ、前記アームクランプ３のクランプ31をメインビームｅに取り付け固定し、前記台座部12の裏底面に設置されたキャスター４により移動自在にするという技術的手段を採用した。
【０００９】
また、本発明は、上記課題を解決するために、必要に応じて上記手段に加え、アームクランプ３を、屈曲フレーム11の取付端側13における主軸に挿通して上下にスライド調節可能で、かつ、メインビームｄ方向に当該アーム本体をスライド式に伸縮自在に固定可能なジョイント部品32で連結するという技術的手段を採用した。
【００１０】
更にまた、本発明は、上記課題を解決するために、必要に応じて上記手段に加え、爪刃支持緩衝板２の上部支持面にヤゲン溝21を形成するという技術的手段を採用した。
【００１１】
更にまた、本発明は、上記課題を解決するために、必要に応じて上記手段に加え、爪刃支持緩衝板２をゴム系弾性材料で作成するという技術的手段を採用した。
【発明の効果】
【００１２】
本発明においては、爪刃支持緩衝板および、アームクランプの二箇所でもってロータリーを支持したことにより、支持姿勢を良好に保持して安定的に運搬することができる。
【００１３】
また、爪刃支持緩衝板を配設して爪刃を面的に支持して載置できるようにしたことにより、爪刃部分の支持箇所における位置決め調節を省略することができると共に、爪刃を確実に保護することができることから、実用的利用価値は頗る高い。
【発明を実施するための最良の形態】
【００１４】
本発明の実施形態を具体的に図示した図面に基いて更に詳細に説明すると次のとおりである。
【００１５】
本発明の実施形態を図１から図３に基いて説明する。図中、符号１で指示するものは本体部であり、この本体部１は、ビーム部11ａとハンドル部11ｂとから成る側面Ｌ字状の一対の屈曲フレーム11・11が対向的に並行連結されて台座部12と取付端側13とを有する。
【００１６】
また、符号２で指示するものは爪刃支持緩衝板であり、この爪刃支持緩衝板２は、ロータリーＲの爪刃ｂ・ｂ…全体を前記爪刃支持緩衝板２に載置する部材であって、本実施形態では、爪刃支持緩衝板２の上部支持面にヤゲン溝21が形成されており、また、使用材料としてゴム系弾性材料を採用する。
【００１７】
また、符号３で指示するものはアームクランプであり、このアームクランプ３のクランプ31がロータリーＲのメインビームｄに取り付け固定可能に構成されている。更にまた、符号４で指示するものはキャスターであり、このキャスター４には必要に応じてストッパを設ける。
【００１８】
本実施形態における運搬用具は、農用トラクターの後部に着脱自在なロータリーＲを運搬するための用具である。このロータリーＲは汎用性のものであるが、その構成を説明すると、ロータリー軸ａの周面に沿って（略Ｕ字形の）爪刃ｂ・ｂ…が略均等に突設されており、かつ、前記ロータリー軸ａと同心円の弧状側面を有するロータリーカバーｃが、回転する前記爪刃ｂ・ｂ…の外側周上を前記ロータリー軸ａの前後面の下部を除いて覆設されており、このロータリーカバーｃが上面に配置されたメインビームｄに支持されて構成されている。
【００１９】
しかして、本実施形態における運搬用具を構成するにあっては、まず、ビーム部11ａとハンドル部11ｂとから成る側面Ｌ字状の一対の屈曲フレーム11・11が対向的に並行連結して台座部12と取付端側13とを有する本体部１を構成する。本実施形態では、屈曲フレーム11およびこれらを連結する部材には金属製パイプを使用し、溶接して連結している。
【００２０】
そして、前記本体部１におけるビーム部11ａの台座部12上には、凹形の爪刃支持緩衝板２を設け、図２に示すように、ロータリーＲの爪刃ｂ・ｂ…に外接して爪刃ｂ・ｂ…全体を前記爪刃支持緩衝板２に支承する。この際、この爪刃支持緩衝板２は上部支持面にヤゲン溝21を形成することによって、爪刃を坐り良く載置させることができ、また、使用材料としてゴム系弾性材料を採用することによって、爪刃を損傷することなく、緩衝的に載置することができる。
【００２１】
また、屈曲フレーム11・11の取付端側13のハンドル部11ｂには着脱自在なアームクランプ３・３を各々配設して、ロータリーＲの爪刃ｂ・ｂ…全体を前記爪刃支持緩衝板２に載置し、かつ、前記アームクランプ３のクランプ31をメインビームｄに取り付け固定する。然る後、前記台座部12の裏底面に設置されたキャスター４により自在に移動ができる。
【００２２】
この際、アームクランプ３は、図３に示すように、屈曲フレーム11の取付端側13における主軸に挿通して上下にスライド調節可能で、かつ、メインビームｄ方向に当該アーム本体をスライド式に伸縮自在に固定可能なジョイント部品32で連結することができる。
【００２３】
本発明は、概ね上記のように構成されるが、本発明は図示の実施形態に限定されるものでは決してなく、「特許請求の範囲」の記載内において種々の変更が可能であって、例えば、本体部１の屈曲フレーム11は金属製パイプに限らず、強化プラスチックなどの別材料を使用しても良い。
【００２４】
また、爪刃指示緩衝板２は、上面支持面に円弧状の凹み溝が形成されていても良いし、使用材料においては、プラスチック製のものやスポンジ状のものを採用することが可能である。更にまた、アームクランプ３のクランプ31の形状も図示のものに限らず、挟持クリップ式や螺合ボルト／ナット式のものなどに変更することができ、何れのものも本発明の技術的範囲に属する。
【図面の簡単な説明】
【００２５】
【図１】本発明の実施形態の運搬用具を表わす全体斜視図である。
【図２】本発明の実施形態の運搬用具の使用状態を表わす説明側面図である。
【図３】本発明の実施形態の運搬用具の使用状態を表わす説明斜視図である。
【符号の説明】
【００２６】
１    本体部
11  屈曲フレーム
11ａ  ビーム部
11ｂ  ハンドル部
12  台座部
13  取付端側
２    爪刃支持緩衝板
21  ヤゲン溝
３    アームクランプ
31  クランプ
32  ジョイント部品
４    キャスター
Ｒ    ロータリー
ａ  ロータリー軸
ｂ  爪刃
ｃ  ロータリーカバー
ｄ  メインビーム
【図１】
2005052115.tif 000003
【図２】
2005052115.tif 000004
【図３】
2005052115.tif 000005